(57)【特許請求の範囲】
【請求項１】
磁気テープが巻装された一対のテープリールを有するテープカートリッジに対して情報信号の記録及び／又は再生を行う記録及び／又は再生装置において、
巻取り側テープリール及び供給側テープリールを回転する巻取り側リール台及び供給側リール台を回転駆動する駆動手段と、
押込み操作される操作部材と、
上記操作部材を押し込まれた状態でロックするロック部材と、
一端部がキャプスタン軸を支持する金属製の軸受部材に当接され、他端部が金属製のシャーシに係止されて電気的に接続されるトーションコイルばねにより移動習性が付与され、かつ上記操作部材の押込み操作により移動されるスイッチ開閉用スライド部材と、
巻取り側リール台と一体的に回転するトーションコイルばねと、
中心部に設けられたカム部とこのカム部の外周側に設けられた係合部とを有し、上記駆動手段によって回転されるカムギアと、上記カムギアのカム部に当接するとともに係合部に係合するカムアームと、
上記巻取り側リール台と一体的に回転するトーションコイルばねによって揺動される揺動アームと、上記ロック部材を移動操作する操作アームとを有し、揺動自在に設けられた自動停止部材とを備えることを特徴とする記録及び／又は再生装置。
【請求項２】
押込み操作されて磁気テープの走行を一時的に停止させる一時停止操作部材を備え、
上記一時停止操作部材には、上記自動停止部材の揺動を規制する規制部が設けられたことを特徴とする請求項１に記載の記録及び／又は再生装置。
【請求項３】
上記スイッチ開閉用スライド部材には上記自動停止部材によって移動操作される作動部が設けられたことを特徴とする請求項１に記載の記録及び／又は再生装置。
【発明の詳細な説明】
【０００１】
【発明の属する技術分野】
本発明は、例えばテープカセットの磁気テープに対して情報信号の記録及び／又は再生を行う記録及び／又は再生装置に関し、特に磁気テープの走行が終了した際に押し込まれた操作部材を自動的に復帰させる自動停止機構を備える記録及び／又は再生装置に関する。
【０００２】
【従来の技術】
従来、テープカセットは、上下ハーフが組み合わされて構成されるカセット本体の内部に、磁気テープが巻装された一対の巻取り側テープリール及び供給側テープリールが回転自在に収納されて構成されている。
【０００３】
詳細な説明を省略するが、従来のテープレコーダは、概略、テープカセットのテープリールを回転駆動するリール駆動機構と、テープカセットの磁気テープから情報信号を再生する再生機構と、磁気テープに情報信号を記録する録音機構と、磁気テープの早送りを行う早送り機構と、磁気テープの巻戻しを行う巻戻し機構と、これら再生機構、録音機構、早送り機構及び巻戻し機構の各動作を解除する停止機構と、再生機構及び録音機構の動作を一時的に解除する一時停止機構とを備えている。
【０００４】
そして、これら再生機構、録音機構、早送り機構及び巻戻し機構は、押込み操作されることによって、各機構を動作させる再生操作レバー、録音操作レバー、早送り操作レバー及び巻戻し操作レバーとをそれぞれ有している。
【０００５】
また、従来のテープレコーダは、巻取り側テープリールによる磁気テープの巻取りが終了した際に、各機構部の動作を自動的に解除する自動停止機構を備えている。
【０００６】
【発明が解決しようとする課題】
ところで、テープレコーダが備える自動停止機構は、リール駆動機構に連動するギアやリンク機構等を設けることによって、自動停止動作を行っている。したがって、この自動停止機構は、全体構造が複雑であり、配設するスペースを要していた。このため、テープレコーダは、装置全体を小型化することが妨げられているという問題があった。
【０００７】
そこで、本発明は、自動停止機構の構造を簡素化することが可能とされて、装置全体を小型・薄型化することができる記録及び／又は再生装置を提供することを目的とする。
【０００８】
【課題を解決するための手段】
上述した目的を達成するため、本発明に係る記録及び／又は再生装置は、巻取り側テープリール及び供給側テープリールを回転する巻取り側リール台及び供給側リール台を回転駆動する駆動手段と、押込み操作される操作部材と、操作部材を押し込まれた状態でロックするロック部材と、一端部がキャプスタン軸を支持する金属製の軸受部材に当接され、他端部が金属製のシャーシに係止されて電気的に接続されるトーションコイルばねにより移動習性が付与され、かつ操作部材の押込み操作により、移動されるスイッチ開閉用スライド部材と、巻取り側リール台と一体的に回転するトーションコイルばねと、中心部に設けられたカム部とこのカム部の外周側に設けられた係合部とを有し駆動手段によって回転されるカムギアとを備える。また、この記録及び／又は再生装置は、カムギアのカム部に当接するとともに係合部に係合するカムアームと、巻取り側リール台と一体的に回転するトーションコイルばねによって揺動される揺動アームと、ロック部材を移動操作する操作アームとを有し、揺動自在に設けられた自動停止部材を備える。
【０００９】
以上のように構成した記録及び／又は再生装置は、巻取り側リール台の回転が停止した際、カムギア及びトーションコイルばねによって、自動停止部材が揺動される。自動停止部材は揺動されることに伴ってロック部材を移動操作して、押込み操作された操作部材のロックを解除する。
また、スイッチ開閉用スライド部材に移動習性を付与するトーションコイルばねはアースを兼ねている。
すなわち、この記録及び／又は再生装置によれば、自動停止機構の簡素化が図られると共に、装置全体の小型、薄型化が図られる。
【００１０】
【発明の実施の形態】
以下、本発明の具体的な実施形態について、テープレコーダを図面を参照して説明する。このテープレコーダ１は、磁気テープを有するテープカセットに対して情報信号の記録又は再生を行う。
【００１１】
なお、図示しないが、このテープレコーダ１に使用されるテープカセットは、上下ハーフが組み合わされて構成されるカセット本体の内部に、磁気テープが巻装された一対の巻取り側テープリール及び供給側テープリールが回転自在に収納されて構成されている。
【００１２】
テープレコーダ１について、以下、
［１］  装置全体の構成
［２］  リール駆動機構部の構成
［３］  再生機構部の構成
［４］  録音機構部の構成
［５］  早送り機構部の構成
［６］  巻戻し機構部の構成
［７］  停止機構部の構成
［８］  一時停止機構部の構成
［９］  自動停止機構の構成
［１０］  リール駆動機構部の動作
［１１］  再生機構部の動作
［１２］  録音機構部の動作
［１３］  早送り機構部の動作
［１４］  巻戻し機構部の動作
［１５］  停止機構部の動作
［１６］  一時停止機構部の動作
［１７］  自動停止機構部の動作
の順序で説明する。
【００１３】
［１］  装置全体の構成
詳細な説明を省略するが、テープレコーダ１は、図１に示すように、図示しないテープカセットの巻取り側テープリール及び供給側テープリールを回転駆動するリール駆動機構部１０と、テープカセットの磁気テープから情報信号を再生する再生機構部１１と、磁気テープに情報信号を記録する録音機構部１２と、磁気テープの早送りを行う早送り機構部１３と、磁気テープの巻戻しを行う巻戻し機構部１４と、これら再生機構部１１、録音機構部１２、早送り機構部１３及び巻戻し機構部１４の各動作を解除する停止機構部１５と、再生機構部１１及び録音機構部１２の動作を一時的に解除する一時停止機構部１６と、磁気テープの巻取りが終了した際に再生機構部１１、録音機構部１２、早送り機構部１３及び巻戻し機構部１４の各動作を自動的に解除する自動停止機構部１７と、これら各機構部１１乃至１７がそれぞれ配設されたシャーシ１８とを備えている。
【００１４】
［２］  リール駆動機構部の構成
リール駆動機構部１０は、図２、図３及び図４に示すように、テープカセットの巻取り側テープリール及び供給側テープリールが載置されて各テープリールを回転する巻取り側リール台７及び供給側リール台８と、図示しない電源に接続配線された駆動モータ２０と、この駆動モータ２０によって回転されるフライホイール２１と、このフライホイール２１の駆動力が伝達されるカムギア２２と、このカムギア２２の駆動力が伝達される第１のギア構体２３と、この第１のギア構体２３の駆動力が伝達されるアイドラギア２４と、このアイドラギア２４の駆動力が伝達されて巻取り側リール台７を回転する第２のギア構体２５とを備えている。
【００１５】
巻取り側リール台７は、第２のギア構体２５に固定されて設けられており、第２のギア構体２５と一体的に回転する。供給側リール台８は、シャーシ１８上に回転自在に支持される基体部８ａと、この基体部８ａに形成されて第１のギア構体２３の駆動力が伝達されるギア部８ｂと、基体部８ａの外周部に形成され後述する巻戻し機構部１４の巻戻し操作レバー３４によって移動操作される作動部８ｃとを有している。
【００１６】
駆動モータ２０は、回転軸２０ａにプーリ２０ｂが設けられており、シャーシ１８上に配設されている。
【００１７】
フライホイール２１は、円盤状の基体部２１ａと、この基体部２１ａの中心部に一体に形成された円筒状の軸受部２１ｂと、この軸受部２１ｂの外周に設けられたギア部２１ｃとを有している。
【００１８】
基体部２１ａには、外周部にベルト溝２１ｄが凹設されており、このベルト溝２１ｄと駆動モータ２０のプーリ２０ｂとに跨ってベルト２６が掛け渡されている。軸受部２１ｂは、シャーシ１８上に回転自在に設けられた後述する再生機構部１１のキャプスタン軸４１の基端部に固定されて設けられており、キャプスタン軸４１と一体的に回転される。ギア部２１ｃは、後述するカムギア２２が移動した際も、このカムギア２２との噛合状態が維持されるような所定の幅寸法に形成されている。
【００１９】
カムギア２２は、フライホイール２１のギア部２１ｃと噛合するギア部２２ａと、このギア部２２ａの中心部に一体に形成された円筒状の支軸部２２ｂと、この支軸部２２ｂの外周に一体に突出形成されたカム部２２ｃと、このカム部２２ｃの外周側に位置して一体に突出形成された係合凸部２２ｄとを有している。
【００２０】
ギア部２２ａは、第１のギア構体２３又は第２のギア構体２５に噛合される。支軸部２２ｂは、シャーシ１８上に、軸受部材２７を介して回転自在に設けられている。この支軸部２２ｂには、先端部に、ばね係止溝２２ｆが凹設されており、このばね係止溝２２ｆにコイルばね２８の一端部が係止されている。また、このコイルばね２８は、他端部が、軸受部材２７に当接されており、弾性力によってカムギア２２を支軸部２２ｂの軸線方向にスライド移動する移動習性を付与している。
【００２１】
第１のギア構体２３は、カムギア２２の回転が伝達される第１のギア２３ａと、この第１のギア２３ａに回転中心を一致して設けられた第２のギア２３ｂと、この第２のギア２３ｂを第１のギア２３ａに押圧するコイルばね２３ｃと、このコイルばね２３ｃを支持するブッシュ２３ｄと、第１のギア２３ａ及び第２のギア２３ｂの一方に対して他方を独立して回転させるためのフェルト２３ｅとを有している。
【００２２】
第１のギア２３ａは、中心部に円筒状の軸支持部２３ｆが形成されており、この軸支持部２３ｆがシャーシ１８上に立設された支軸２９に回転自在に支持されている。第１のギア２３ａには、軸支持部２３ｆの外周にギア部２３ｇが設けられている。
【００２３】
第２のギア２３ｂは、第１のギア２３ａ上に設けられており、アイドラギア２４又は供給側リール台８のギア部８ｂに噛合される。また、この第２のギア２３ｂには、図２に示すように、アイドラギア２４と噛み合わされる歯が１歯おきに形成されている。
【００２４】
この第２のギア２３ｂは、歯が１歯おきに形成されたことによって、軸線方向にスライド移動されたアイドラギア２４又は供給側リール台８のギア部８が噛合される際に、一方のギアの歯に他方のギアの歯が乗り上がる噛合不良が防止されており、アイドラギア２４及び供給側リール台８のギア部８ｂとの噛み合わせの向上が図られている。
【００２５】
コイルばね２３ｃは、一端部が第２のギア２３ｂに当接されており、他端部がブッシュ２３ｄに当接されている。ブッシュ２３ｄは、第１のギア２３ａの軸支持部２３ｆの外周に固定されて設けられており、コイルばね２３ｃを支持している。したがって、コイルばね２３ｃは、弾性力によって、第１のギア２３ａに第２のギア２３ｂを押圧している。
【００２６】
フェルト２３ｅは、環状に形成されており、第１のギア２３ａと第２のギア２３ｂの間に位置して設けられている。このフェルト２３ｅは、第１のギア２３ａ及び第２のギア２３ｂに対する摩擦力によっていわゆるクラッチとして作用して、これら第１のギア２３ａと第２のギア２３ｂを一体的に回転させるとともに、第１のギア２３ａ及び第２のギア２３ｂの一方に摩擦力を超える回転力が付与された際等に一方のギアに対して他方のギアを独立して回転させることを可能とする。したがって、このフェルト２３ｅによれば、第１のギア２３ａと第２のギア２３ｂが噛合する際等に、第１のギア２３ａに対して第２のギア２３ｂが遊動することを可能としている。
【００２７】
アイドラギア２４は、第１のギア構体２３の回転が伝達されるギア部２４ａと、このギア部２４ａの中心部に一体に形成された支軸部２４ｂと、後述する早送り機構部１３の早送り操作レバー３３によって移動操作されるための移動用リブ２４ｃとを有している。
【００２８】
ギア部２４ａは、第１のギア構体２３の第２のギア２３ｂと噛合される位置に設けられている。支軸部２４ｂは、シャーシ１８上に設けられた軸受部材３０に、回転自在且つ軸線方向にスライド移動自在に設けられている。移動用リブ２４ｃは、支軸部２４ｂと軸線を一致して一体に形成されている。
【００２９】
第２のギア構体２５は、巻取り側リール台７を回転する早送り用ギア２５ａ及び再生用ギア２５ｂと、早送り用ギア２５ａに再生用ギア２５ｂを押圧するコイルばね２５ｃと、このコイルばね２５ｃを支持するブッシュ２５ｄと、早送り用ギア２５ａ及び再生用ギア２５ｂの一方に対して他方を独立して回転させるためのフェルト２５ｅとを有している。
【００３０】
早送り用ギア２５ａには、中心部に支軸部２５ｆが一体に形成されており、この支軸部２５ｆの一端部に、テープカセットの巻取り側テープリールが載置される巻取り側リール台７が固定されている。そして、この早送り用ギア２５ａは、シャーシ１８上に設けられた軸受部材４０に、支軸部２５ｆが回転自在に支持されている。
【００３１】
再生用ギア２５ｂは、早送り用ギア２５ａより歯径が大とされており、早送り用ギア２５ａの支軸部２５ｆに回転自在に取り付けられている。
【００３２】
コイルばね２５ｃは、一端部が再生用ギア２５ｂに当接されており、他端部がブッシュ２５ｄに当接されている。このコイルばね２５ｃは、弾性力によって、早送り用ギア２５ａに再生用ギア２５ｂを押圧している。
【００３３】
ブッシュ２５ｄは、早送り用ギア２５ａの支軸部２５ｆの他端部に固定されて設けられており、後述する自動停止機構部１７のトーションコイルばね１２５が取り付けられている。
【００３４】
フェルト２５ｅは、環状に形成されており、早送り用ギア２５ａと再生用ギア２５ｂとの間に位置して設けられている。このフェルト２５ｅは、早送り用ギア２５ａ及び再生用ギア２５ｂに対する摩擦力によっていわゆるクラッチとして作用して、早送り用ギア２５ａと再生用ギア２５ｂを一体的に回転させるとともに、早送り用ギア２５ａ及び再生用ギア２５ｂの一方に摩擦力を超える回転力が付与された際等に一方のギアに対して他方のギアを独立して回転させることを可能とする。
【００３５】
［３］  再生機構部の構成
再生機構部１１は、図５及び図６に示すように、押込み操作される再生操作レバー３１と、磁気テープを走行させるキャプスタン軸４１と、このキャプスタン軸４１との間に磁気テープを挟むピンチローラ部４２と、磁気テープに対する情報信号の記録及び再生を行う記録再生用磁気ヘッド４３と、押込み操作された再生操作レバー３１を初期位置に復帰動作させる移動習性を付与するトーションコイルばね４４とを備えている。
【００３６】
再生操作レバー３１は、例えばプラスチック等の樹脂材料によって略矩形板状に形成され押込み操作される基体部３１ａと、この基体部３１ａに一体に形成されて記録再生用磁気ヘッド４３を支持するヘッド支持部３１ｂとを有している。
【００３７】
この再生操作レバー３１の基体部３１ａには、主面に、ガイドスリット４６、４６がそれぞれ開設されており、これらガイドスリット４６、４６にシャーシ１８上に立設されたガイドリブ４７、４７がスライド移動自在にそれぞれ挿通されている。また、この再生操作レバー３１のヘッド支持部３１ｂには、主面に、ガイドスリット４８、４８がそれぞれ開設されており、これらガイドスリット４８、４８にシャーシ１８上に立設されたガイドリブ４９、４９がスライド移動自在にそれぞれ挿通されている。すなわち、再生操作レバー３１は、シャーシ１８上にスライド移動自在に配設されている。
【００３８】
また、図示しないが、再生操作レバー３１には、シャーシ１８に開設された係合スリットにスライド移動自在に係合する複数の係合爪がそれぞれ一体に形成されている。さらに、図示しないが、再生操作レバー３１の主面には、シャーシ１８との間に所定の対向間隔を確保するために、シャーシ１８に突き当てられて摺動する複数の突き当てリブがそれぞれ一体に立設されている。
【００３９】
また、再生操作レバー３１は、基体部３１ａの主面に、押込み操作された状態でロックされるためのロック用リブ５１が一体に立設されており、このロック用リブ５１がシャーシ１８に開設された図示しないガイドスリットにスライド移動自在に挿通されている。また、この基体部３１ａには、図６に示すように、後述する録音機構部１２の録音操作レバー３２に隣接する側端に、この録音操作レバー３２によって操作される作動片５２が一体に突出形成されている。
【００４０】
さらに、再生操作レバー３１のヘッド支持部３１ｂには、上述したリール駆動機構部１０のカムギア２２の支軸部２２ｂに対応する位置に、操作突部５３が一体に突出形成されている。この再生操作レバー３１は、押込み操作された際に、操作突部５３がカムギア２２の支軸部２２ｂの先端部に当接することによって、このカムギア２２を支軸部２２ｂの軸線方向にスライド移動させる。
【００４１】
また、再生操作レバー３１の基体部３１ａには、トーションコイルばね４４の一端部が係止されるばね係止リブ５８が一体に係止されている。
【００４２】
キャプスタン軸４１は、シャーシ１８上に設けられた軸受部材５５ａ、５５ｂを介して回動自在に配設されている。なお、軸受部材５５ａは、例えばプラスチック等の樹脂材料によって形成されおり、また軸受部材５５ｂは、金属材料によって形成されている。
【００４３】
ピンチローラ部４２は、磁気テープを挟んでキャプスタン軸４１に圧接されるピンチローラ４２ａと、このピンチローラ４２ａを支持するホルダ４２ｂと、このホルダ４２ｂに回動習性を付与するトーションコイルばね４２ｃとを有している。
【００４４】
ピンチローラ４２ａは、例えば合成ゴムを材料として円筒状に形成されており、中心部に回転軸４２ｄが設けられている。そして、このピンチローラ４２ａは、回転軸４２ｄを介してホルダ４２ｂに回転自在に支持されている。
【００４５】
ホルダ４２ｂは、シャーシ１８上に立設された支軸４２ｅに揺動自在に支持されている。このホルダ４２ｂには、トーションコイルばね４２ｃを取付けるばね取付けリブが一体に突出形成されており、またトーションコイルばね４２ｃの両端部がそれぞれ係止される係止片４２ｆ、４２ｆが一体に突出形成されている。
【００４６】
トーションコイルばね４２ｃは、ホルダ４２ｂの取付けリブに取り付けられており、両端部がホルダ４２ｂの係止片４２ｆ、４２ｆにそれぞれ係止されている。このトーションコイルばね４２ｃは、弾性力によって、ホルダ４２ｂに支持されたピンチローラ４２ａをキャプスタン軸４１に圧接させる方向と逆方向の回動習性を付与している。
【００４７】
また、トーションコイルばね４２ｃは、一端部が、再生操作レバー３１に開設された図示しない操作用スリットに挿通されている。このため、ホルダ４２ｂは、再生操作レバー３１が押込み操作されることに伴って、トーションコイルばね４２ｃの一端部を介して揺動操作される。
【００４８】
また、このホルダ４２ｂには、後述する一時停止機構部１６の一時停止操作レバー３６によって操作される揺動操作レバー４２ｇが一体に形成されている。
【００４９】
記録再生用磁気ヘッド４３は、再生操作レバー３１のヘッド支持部３１ａに固定されて配設されており、再生操作レバー３１と一体的に移動する。
【００５０】
トーションコイルばね４４は、シャーシ１８上に立設されたばね取付けリブ５７に取り付けられており、一端部が再生操作レバー３１のばね係止リブ５８に係止されている。そして、このトーションコイルばね４４は、弾性力によって、押込み操作された再生操作レバー３１を初期位置に復帰動作させる。
【００５１】
［４］  録音機構部の構成
録音機構部１２は、図５及び図６に示すように、押込み操作される録音操作レバー３２と、磁気テープの情報信号を消去する消去用磁気ヘッド６０と、磁気テープに記録された情報信号を誤って消去することを防止するための誤消去防止レバー６１とを備えている。
【００５２】
録音操作レバー３２は、例えばプラスチック等の樹脂材料によって略矩形板状に形成されており、消去用磁気ヘッド６０を支持するヘッド支持片３２ａが一体に形成されている。
【００５３】
この録音操作レバー３２には、主面に、ガイドスリット６３、６３がそれぞれ開設されており、これらガイドスリット６３、６３にシャーシ１８上に立設されたガイドリブ６４、６４がスライド移動自在にそれぞれ挿通されている。すなわち、録音操作レバー３２は、シャーシ１８上に、スライド移動自在に配設されている。
【００５４】
また、録音操作レバー３２は、主面に、押込み操作された状態でロックされるためのロック用リブ６５が一体に立設されており、このロック用リブ６５がシャーシ１８に開設された図示しないガイドスリットにスライド移動自在に挿通されている。また、録音操作レバー３２は、再生操作レバー３１に隣接する側端に、この再生操作レバー３１の作動片５２を操作する操作片６６が一体に突出形成されている。
【００５５】
さらに、録音操作レバー３２の主面には、上述した再生機構部１１のトーションコイルばね４４の一端部が係止する係止リブ６８が一体に立設されており、このトーションコイルばね４４の弾性力によって、押込み操作された録音操作レバー３２が初期位置に復帰動作される。また、録音操作レバー３２は、トーションコイルばね４４の弾性力によって、再生操作レバー３１の作動片５２に操作片６６が常に当接されている。
【００５６】
また、図示しないが、録音操作レバー３２には、シャーシ１８に開設された係合スリットにスライド移動自在に係合する複数の係合爪がそれぞれ一体に形成されている。さらに、図示しないが、録音操作レバー３２の主面には、シャーシ１８との間に所定の対向間隔を確保するために、シャーシ１８に突き当てられて摺動する複数の突き当てリブがそれぞれ一体に立設されている。
【００５７】
消去用磁気ヘッド６０は、磁気テープに対向する位置に、磁気テープに記録された情報信号を消去するための図示しない消去用マグネットが設けられており、ヘッド支持片３２ａ上に固定されて配設されている。
【００５８】
誤消去防止レバー６１は、録音操作レバー３２の一端部に位置して、シャーシ１８上に回転自在に配設されている。この誤消去防止レバー６１は、録音操作レバー３２の一端部に突き当てられることによって、録音操作レバー３２を押込み操作不能とする。そして、この誤消去防止レバー６１は、磁気テープに情報信号を記録する際、録音操作レバー３２の一端部に当接しない位置に回動されることによって、録音操作レバー３２を押込み操作可能とする。
【００５９】
［５］  早送り機構部の構成
早送り機構部１３は、図５及び図７に示すように、押込み操作される早送り操作レバー３３と、押込み操作された早送り操作レバー３３を初期位置に復帰動作させる移動習性を付与するトーションコイルばね７０とを備えている。
【００６０】
早送り操作レバー３３は、例えばプラスチック等の樹脂材料によって略矩形板状に形成されている。この早送り操作レバー３３は、主面に、ガイドリブ７２が一体に立設されており、シャーシ１８上に開設されたガイドスリット７３にガイドリブ７２がスライド移動自在に挿通されている。また、早送り操作レバー３３は、主面にガイドスリット７４が開設されており、シャーシ１８上に立設されたガイドリブ７５がスライド移動自在に挿通されている。したがって、早送り操作レバー３３は、シャーシ１８上にスライド移動自在に配設されている。
【００６１】
また、図示しないが、早送り操作レバー３３には、シャーシ１８に開設された係合スリットにスライド移動自在に係合する複数の係合爪がそれぞれ一体に形成されている。さらに、図示しないが、早送り操作レバー３３の主面には、シャーシ１８との間に所定の対向間隔を確保するために、シャーシ１８に突き当てられて摺動する複数の突き当てリブがそれぞれ一体に立設されている。
【００６２】
また、早送り操作レバー３３には、主面上に、トーションコイルばね７０の弾性力が付勢されるばね係止リブ７６が一体に立設されている。
【００６３】
さらに、早送り操作レバー３３には、主面上に、押込み操作された位置を保持するためのロック用リブ７７が一体に立設されており、このロック用リブ７７がシャーシ１８に開設された図示しないガイドスリットにスライド移動自在に挿通されている。
【００６４】
また、早送り操作レバー３３の主面には、図６に示すように、上述したリール駆動機構部１０のアイドラギア２４を移動操作するためのギア操作部７８が、ガイドスリット７４に連設されている。このギア操作部７８は、早送り操作レバー３３が押込み操作された際、アイドラギア２４の移動用リブ２４ｃに当接して、この移動用リブ２４ｃを軸線方向に移動させる。
【００６５】
トーションコイルばね７０は、シャーシ１８上に立設されたばね取付けリブ７９に取り付けられており、一端部が早送り操作レバー３３のばね係止リブ７６に係止されている。したがって、このトーションコイルばね７０は、弾性力によって、押込み操作された早送り操作レバー３３を初期位置に復帰動作させる。
【００６６】
［６］  巻戻し機構部の構成
巻戻し機構部１４は、図５及び図７に示すように、押込み操作される巻戻し操作レバー３４を備えている。
【００６７】
巻戻し操作レバー３４は、主面に、ガイドリブ８１がそれぞれ立設されており、シャーシ１８上に開設されたガイドスリット８２にガイドリブ８１がスライド移動自在に挿通されることによって、シャーシ１８上にスライド移動自在に支持されている。
【００６８】
また、巻戻し操作レバー３４は、主面に、ガイドスリット８３が開設されており、このガイドスリット８３にシャーシ１８上に立設されたガイドリブ８４がスライド移動自在に挿通されている。したがって、巻戻し操作レバー３４は、シャーシ１８上に、スライド移動自在に配設されている。
【００６９】
また、図示しないが、巻戻し操作レバー３４には、シャーシ１８に開設された係合スリットにスライド移動自在に係合する複数の係合爪がそれぞれ一体に形成されている。さらに、図示しないが、巻戻し操作レバー３４の主面には、シャーシ１８との間に所定の対向間隔を確保するために、シャーシ１８に突き当てられて摺動する複数の突き当てリブがそれぞれ一体に立設されている。
【００７０】
また、この巻戻し操作レバー３４は、主面上に、ばね係止リブ８６が一体に立設されており、このばね係止リブ８６に上述したトーションコイルばね７０の他端部が係止されている。したがって、押込み操作された巻戻し操作レバー３４は、このトーションコイルばね７０の弾性力によって、初期位置に復帰動作される。
【００７１】
さらに、巻戻し操作レバー３４は、主面上に、押込み操作された位置を保持するためのロック用リブ８７が一体に立設されており、このロック用リブ８７がシャーシ１８に開設された図示しないガイドスリットにスライド移動自在に挿通されている。
【００７２】
また、巻戻し操作レバー３４には、一端部に、後述する一時停止機構部１６のリールロックスライダ９８の移動を規制する規制凸部８８が一体に突出形成されている。
【００７３】
さらに、巻戻し操作レバー３４には、供給側リール台８の作動部８ｃに隣接する側端に、供給側リール台８を移動操作するリール操作爪８９が一体に突出形成されており、また供給側リール台８を挟んで対向する位置に、供給側リール台８を移動操作するリール操作片９０が一体に突出形成されている。
【００７４】
［７］  停止機構部の構成
停止機構部１５は、図５に示すように、押込み操作される停止操作レバー３５と、押込み操作された停止操作レバー３５を初期位置に復帰動作させる移動習性を付与するトーションコイルばね９１とを備えている。
【００７５】
停止操作レバー３５は、例えばプラスチック等の樹脂材料によって形成されている。この停止操作レバー３５は、主面に、ガイドスリット９２、９２がそれぞれ開設されており、これらガイドスリット９２、９２にシャーシ１８上に立設されたガイドリブ９３、９３がスライド移動自在に挿通されている。したがって、停止操作レバー３５は、シャーシ１８上にスライド移動自在に配設されている。
【００７６】
また、図示しないが、停止操作レバー３５には、シャーシ１８に開設された係合スリットにスライド移動自在に係合する複数の係合爪がそれぞれ一体に形成されている。さらに、図示しないが、停止操作レバー３５の主面には、シャーシ１８との間に所定の対向間隔を確保するために、シャーシ１８に突き当てられて摺動する複数の突き当てリブがそれぞれ一体に立設されている。
【００７７】
また、停止操作レバー３５には、トーションコイルばね９１の一端部が係止されるばね係止リブ９４が一体に突出形成されている。
【００７８】
さらに、停止操作レバー３５には、主面上に、後述する自動停止機構部１７のレバーロックスライダ３８を移動操作する操作リブ９５が一体に立設されており、シャーシ１８に開設された図示しないガイドスリットにスライド移動自在に挿通されている。
【００７９】
また、停止操作レバー３５には、図示しないカセットホルダをロックするためのロック部材を操作する略Ｌ字状の操作部９６が一体に形成されている。
【００８０】
トーションコイルばね９１は、シャーシ１８上に立設されたばね取付けリブ９７に取り付けられており、一端部が、停止操作レバー３５のばね係止リブ９４に係止されている。したがって、このトーションコイルばね９１は、弾性力によって、押込み操作された停止操作レバー３５を初期位置に復帰動作させる。
【００８１】
［８］  一時停止機構部の構成
一時停止機構部１６は、図５及び図８に示すように、押込み操作される一時停止操作レバー３６と、この一時停止操作レバー３６が押込み操作された状態でロックするロック板９７と、テープカセットの供給側テープリールを回転する供給側リール台８の回転を規制するリールロックスライダ９８とを備えている。
【００８２】
一時停止操作レバー３６は、主面に、ガイドスリット１００、１００がそれぞれ開設されており、これらガイドスリット１００、１００にシャーシ１８上に立設されたガイドリブ１０１、１０１がスライド移動自在にそれぞれ挿通されている。したがって、この一時停止操作レバー３６は、シャーシ１８上にスライド移動自在に配設されている。
【００８３】
また、図示しないが、一時停止操作レバー３６には、シャーシ１８に開設された係合スリットにスライド移動自在に係合する係合リブが一体に形成されている。さらに、図示しないが、一時停止操作レバー３６の主面には、シャーシ１８との間に所定の対向間隔を確保するために、シャーシ１８に突き当てられて摺動する複数の突き当てリブがそれぞれ一体に立設されている。
【００８４】
また、一時停止操作レバー３６の主面には、ばね係合部１０３が一体に設けられており、このばね係合部１０３にトーションコイルばね９１の一端部が係合されている。したがって、押込み操作された一時停止操作レバー３６は、トーションコイルばね９１の弾性力によって、初期位置に復帰動作される。
【００８５】
さらに、一時停止操作レバー３６には、主面に、押込み操作された位置を保持するためのロック片１０４が弾性変位自在に設けられており、このロック片１０４の周囲に、ロック片１０４を変位可能とする開口部１０５が設けられている。また、ロック片１０４の先端部には、ロック板９７に係合する係合ピン１０４ａが一体に立設されている。
【００８６】
また、一時停止操作レバー３６の主面上には、上述した再生機構部１１のピンチローラ部４２を構成するホルダ４２ｂの揺動操作アーム４２ｄを移動操作するための操作リブ１０６が一体に立設されている。
【００８７】
さらに、一時停止操作レバー３６には、リールロックスライダ９８を移動操作するための操作突部１０７が一体に形成されている。
【００８８】
また、一時停止レバー３６の側端には、後述する自動停止機構部１７のシャットオフレバー３７を操作するための操作アーム１１０が弾性変位自在に形成されている。
【００８９】
ロック板９７は、略矩形板状に形成されており、主面に、略環状のカム溝９７ａが凹設されている。このカム溝９７ａには、内周壁に、一時停止操作レバー３６のロック片１０４の係合ピン１０４ａが係合される第１の係合部１０８が形成されており、また略中央部に、押込み操作された一時停止操作レバー３６のロック片１０４の係合ピン１０４ａが係合される第２の係合部１０９が一体に突出形成されている。これら第１の係合部１０８及び第２の係合部１０９は、一時停止操作レバー３６のスライド方向に平行な直線上に位置して形成されている。
【００９０】
リールロックスライダ９８は、図８に示すように、例えばプラスチック等の樹脂材料によって形成されている。このリールロックスライダ９８には、主面に、ガイドスリット１１１、１１１がそれぞれ開設されており、これらガイドスリット１１１、１１１に、シャーシ１８上に立設されたガイドリブ１１２、１１２がスライド移動自在にそれぞれ挿通されている。したがって、このリールロックスライダ９８は、シャーシ１８上にスライド移動自在に配設されている。
【００９１】
また、図示しないが、リールロックスライダ９８には、シャーシ１８との間に所定の対向間隔を確保するために、シャーシ１８に突き当てられて摺動する複数の突き当てリブがそれぞれ一体に立設されている。
【００９２】
さらに、リールロックスライダ９８には、巻取り側リール台７を回転する第２のギア構体２５の早送り用ギア２５ａに係合するロック片１１３が一体に形成されている。このロック片１１３は、第２のギア構体２５の早送り用ギア２５ａに対向する位置にロック爪１１３ａが一体に形成されており、このロック爪１１３ａが早送り用ギア２５ａに係合することによって、巻取り側リール台７を回転不能とする。
【００９３】
また、リールロックスライダ９８には、ばね取付けリブ１１５が一体に形成されており、このばね取付けリブ１１５にトーションコイルばね１１６が取り付けられている。
【００９４】
さらに、リールロックスライダ９８の主面には、開口部１１７が設けられており、この開口部１１７にシャーシ１８上に立設されたばね係止リブ１１８がスライド移動自在に挿通されている。そして、このばね係止リブ１１８には、トーションコイルばね１１６の一端部が係止されている。
【００９５】
また、リールロックスライダ９８には、ばね係止リブ１１８に隣接する位置に、トーションコイルばね１１６の一端部の中途部が係止されるばね係止片１１９が一体に形成されており、またロック片１１３に、トーションコイルばね１１６の他端部の中途部が係止されるばね係止片１２０が一体に形成されている。
【００９６】
そして、トーションコイルばね１１６は、一端部が、ばね係止リブ１１８及びばね係止片１１９に係止されている。また、このトーションコイルばね１１６は、他端部が、ばね係止片１２０に係止されるとともに、一時停止操作レバー３６の操作突部１０７に対向する位置に突出されており、押込み操作された一時停止操作レバー３６の操作突部１０７が当接される。
【００９７】
したがって、このトーションコイルばね１１６は、弾性力によって、巻取り側リール台７を回転させる第２のギア構体２５の早送り用ギア２５ａに対して、リールロックスライダ９８のロック片１１３のロック爪１１３ａを離間する方向に移動させる移動習性をリールロックスライダ９８に付与している。
【００９８】
さらに、リールロックスライダ９８には、停止操作レバー３５に臨む一端部に、断面略Ｌ字状の突当部１２１が一体に形成されている。この突当部１２１には、早送り操作レバー３３に突き当てられる第１の突当壁１２２と、巻戻し操作レバー３４に突き当てられる第２の突当壁１２３とがそれぞれ形成されている。
【００９９】
すなわち、このリールロックスライダ９８は、早送り操作レバー３３が押し込まれた状態で、突当部１２１の第１の突当壁１２２に早送り操作レバー３３が突き当てられることによって、移動動作が規制されてスライド移動不能となる。また、リールロックスライダ９８は、巻戻し操作レバー３４が押し込まれた状態で、突当部１２１の第２の突当壁１２３に巻戻し操作レバー３４が突き当てられることによって、移動動作が規制されてスライド移動不能となる。
【０１００】
［９］自動停止機構部の構成
自動停止機構部１７は、図５、図９及び図１０に示すように、磁気テープの巻取りが終了した際に各操作レバー３１乃至３５を初期位置に自動的に復帰動作させるシャットオフレバー３７と、押込み操作された各操作レバー３１乃至３４を押し込まれた状態でロックするレバーロックスライダ３８と、リール駆動機構部１０の駆動モータ２０の回転を停止するスイッチスライダ３９と、シャットオフレバー３７に回転習性を付与するトーションコイルばね１２５とを備えている。
【０１０１】
シャットオフレバー３７は、例えばプラスチック等の樹脂材料によって形成されており、シャーシ１８上に立設された揺動支軸１２６に、略中央部が回転自在に支持されている。
【０１０２】
このシャットオフレバー３７には、トーションコイルばね１２５の弾性力が付与される揺動操作部１２７が一体に形成されている。
【０１０３】
また、シャットオフレバー３７には、リール駆動機構部１０のカムギア２２に対応する位置に、カムアーム部１２８が一体に形成されている。このカムアーム部１２８の先端部には、カムギア２２の係合凸部２２ｄに係合する略Ｖ字状の係合溝１２８ａが凹設されている。
【０１０４】
さらに、シャットオフレバー３７には、レバーロックスライダ３８を移動操作する操作部１２９が一体に形成されている。
【０１０５】
また、シャットオフレバー３７には、一時停止操作レバー３６の操作アーム１１０によって操作される作動リブ１３０が一体に立設されており、この作動リブ１３０がシャーシ１８に開設された図示しないガイドスリットに沿って移動自在に挿通されている。
【０１０６】
また、シャットオフレバー３７には、ばね取付け部１３１が形成されており、シャットオフレバー３７を所定の位置に規制するための位置規制用コイルばね１３４の一端部が取り付けられている。この位置規制用コイルばね１３４は、他端部が、シャーシ１８上に設けられた図示しない取付けリブに取り付けられている。
【０１０７】
レバーロックスライダ３８は、略矩形板状に形成されており、ガイドスリット１３２、１３２がそれぞれ開設されており、これらガイドスリット１３２、１３２にシャーシ１８上に立設されたガイドリブ１３３、１３３がスライド移動自在にそれぞれ挿通されている。すなわち、このレバーロックスライダ３８は、シャーシ１８上に、スライド移動自在に配設されている。
【０１０８】
また、図示しないが、レバーロックスライダ３８には、シャーシ１８に開設された係合スリットにスライド移動自在に係合する複数の係合爪がそれぞれ一体に形成されている。さらに、図示しないが、レバーロックスライダ３８の主面には、シャーシ１８との間に所定の対向間隔を確保するために、シャーシ１８に突き当てられて摺動する複数の突き当てリブがそれぞれ一体に立設されている。
【０１０９】
そして、このレバーロックスライダ３８には、図９に示すように、主面に、録音操作レバー３２のロック用リブ６５が挿通されるロック用開口部１３５、再生操作レバー３１のロック用リブ５１が挿通されるロック開口部１３６、巻戻し操作レバー３４のロック用リブ８７が挿通されるロック用開口部１３７、及び早送り操作レバー３３のロック用リブ７７が挿通されるロック用開口部１３８とがそれぞれ設けられている。
【０１１０】
これら各ロック用開口部１３５乃至１３８は、略Ｃ字状を呈しており、内周に、各操作レバー３１乃至３４がそれぞれ押込み操作された際に、各操作レバー３１乃至３４のロック用リブ５１、６５、７７、８７が係止する係止部１３５ａ乃至１３８ａがそれぞれ形成されている。
【０１１１】
すなわち、このレバーロックスライダ３８は、各ロック用開口部１３５乃至１３８の係止部１３５ａ乃至１３８ａに、押込み操作された各操作レバー３１乃至３４のロック用リブ５１、６５、７７、８７が係止することによって、押し込まれた状態にロックする。
【０１１２】
また、このレバーロックスライダ３８には、停止操作レバー３５の操作リブ９５が挿通される操作用開口部１３９が開設されている。そして、レバーロックスライダ３８は、停止操作レバー３５が押込み操作された際、操作用開口部１３９に挿通された停止操作レバー３５の操作リブ９５によって移動操作される。
【０１１３】
さらに、レバーロックスライダ３８には、一側端に、略Ｓ字状に折曲されて形成された弾性変位部１４１が一体に突出形成されている。この弾性変位部１４１は、シャーシ１８上に立設された突当リブ１４２に、先端部が突当られており、弾性変位することによって、レバーロックスライダ３８を移動させる移動習性を付与している。
【０１１４】
また、レバーロックスライダ３８には、シャットオフレバー３７の操作部１２９によって移動操作される作動部１４４が一体に形成されている。
【０１１５】
スイッチスライダ３９は、例えばプラスチック等の樹脂材料によって略矩形板状に形成されている。このスイッチスライダ３９には、主面に、ガイドスリット１４５、１４５がそれぞれ開設されており、これらガイドスリット１４５、１４５にシャーシ１８上に立設されたガイドリブ１４６、１４６がスライド移動自在にそれぞれ挿通されている。また、スイッチスライダ３９の主面には、一端部に、ガイドスリット１４７が開設されており、このガイドスリット１４７にシャーシ上に立設されたガイドリブ１４８がスライド移動自在に挿通されている。したがって、このスイッチスライダ３９は、シャーシ１８上にスライド移動自在に配設されている。
【０１１６】
また、図示しないが、スイッチスライダ３９には、シャーシ１８に開設された係合スリットにスライド移動自在に係合する複数の係合爪がそれぞれ一体に形成されている。さらに、図示しないが、スイッチスライダ３９の主面には、シャーシ１８との間に所定の対向間隔を確保するために、シャーシ１８に突き当てられて摺動する複数の突き当てリブがそれぞれ一体に立設されている。
【０１１７】
このスイッチスライダ３９の主面には、図１０に示すように、再生操作レバー３１のロック用リブ５１が挿通される操作用開口部１４９と、巻戻し操作レバー３４のロック用リブ８７が挿通される操作用開口部１５０と、早送り操作レバー３３のロック用リブ７７が挿通される操作用開口部１５１とがそれぞれ設けられている。
【０１１８】
ところで、シャーシ１８上には、図１０に示すように、リール駆動機構部１０の駆動モータ２０に接続配線されたモータ用スイッチ１５２が配設されている。このモータ用スイッチ１５２は、図示しない電源及び駆動モータ２０と接続配線された一対の端子板１５２ａ、１５２ａを有しており、これら一対の端子板１５２ａ、１５２ａが所定の間隙をあけて設けられている。
【０１１９】
また、一方の端子板１５２ａには、先端部に、スイッチスライダ３９によって操作される作動片１５２ｂが設けられている。また、このスイッチスライダ３９には、スライド移動される方向に平行な側端に、モータ用スイッチ１５２の端子板１５２ａを押込み操作するスイッチ操作片１５３が一体に形成されている。
【０１２０】
スイッチスライダ３９は、スライド移動されることによって、スイッチ操作片１５３が作動片１５２ｂに当接されて、一方の端子板１５２ａを押込み操作する。モータ用スイッチ１５２は、端子板１５２ａが押込み操作されることによって、端子板１５２ａ、１５２ａが互いに接続されるため、電源と駆動モータ２０とを接続して駆動モータ２０を回転駆動させる。
【０１２１】
さらに、このスイッチスライダ３９には、主面上に、ばね取付けリブ１５５が一体に立設されており、このばね取付けリブ１５５にトーションコイルばね１５６が取り付けられている。このトーションコイルばね１５６は、一端部がキャプスタン軸４１を支持する金属製の軸受部材５５ｂの外周部に当接されており、他端部が金属製のシャーシ１８の立上り周壁１８ａに係止されている。
【０１２２】
したがって、このトーションコイルばね１５６は、弾性力によってスイッチスライダ３９をスライド移動させる移動習性を付与するとともに、キャプスタン軸４１とシャーシ１８とを電気的に接続することによっていわゆるアースが施されている。したがって、キャプスタン軸４１は、例えばフライホイール２１とベルト２６との間に発生する静電気の帯電等によって、磁気テープに記録された情報信号に悪影響を及ぼすことが防止されている。
【０１２３】
さらに、このスイッチスライダ３９の一側端には、略Ｕ字状に折曲されて形成された弾性変位部１５８が一体に形成されており、この弾性変位部１５８の先端部が、シャットオフレバー３７の操作部１２９に当接されている。
【０１２４】
トーションコイルばね１２５は、上述したリール駆動機構部１０の第２のギア構体２５のブッシュ２５ｄに取り付けられており、両端部が、シャットオフレバー３７の揺動操作部１２７の一側端にそれぞれ対向するように形成されている。
【０１２５】
［１０］  リール駆動機構部の動作
上述したリール駆動機構部１０について、巻取り側リール台７及び供給側リール台８を回転駆動する動作を、図３及び図４を参照して説明する。
【０１２６】
リール駆動機構部１０は、図３に示すように、駆動モータ２０によってプーリ２０ｂが回転されることによって、ベルト２６を介してフライホイール２１を回転させる。回転されたフライホイール２１は、ギア部２１ｃによってカムギア２２を回転させる。
【０１２７】
そして、再生、或いは録音を行う場合、回転されたカムギア２２は、再生操作レバー３１によって軸線方向に移動された第２のギア構体２５の再生用ギア２５ｂと噛合される。第２のギア構体２５の再生用ギア２５ｂは、カムギア２２によって回転されて、巻取り側リール台７を所定の回転数で回転駆動させる。
【０１２８】
また、早送りを行う場合、回転されたカムギア２２は、第１のギア構体２３の第１のギア２３ａを回転させるとともに第１のギア構体２３の第２のギア２３ｂを回転させる。回転された第１のギア構体２３の第２のギア２３ｂは、早送り操作レバー３３によって軸線方向に移動されたアイドラギア２４と噛合される。
【０１２９】
アイドラギア２４は、第１のギア構体２３の第２のギア２３ｂによって回転されて、第２のギア構体２５の早送り用ギア２５ａを回転させる。第２のギア構体２５の早送り用ギア２５ａは、巻取り側リール台７を所定の回転数で回転駆動させる。
【０１３０】
また、巻戻しを行う場合、回転されたカムギア２２は、図４に示すように、第１のギア構体２３の第１のギア２３ａを回転させるとともに第１のギア構体２３の第２のギア２３ｂを回転させる。回転された第１のギア構体２３の第２のギア２３ｂは、巻戻し操作レバー３４によって軸線方向に移動された供給側リール台８のギア部８ｂと噛合されて、この供給側リール台８を回転駆動させる。
【０１３１】
［１１］  再生機構部の動作
上述した再生機構部１１について、再生操作レバー３１が押込み操作されたときの動作を図６、図１１及び図１２を参照して説明する。
【０１３２】
再生操作レバー３１は、トーションコイルばね４４の弾性力に抗して押込み操作されることによって、キャプスタン軸４１にピンチローラ部４２を回動させて圧接させるとともに、記録再生用磁気ヘッド４３を移動させる。
【０１３３】
また、再生操作レバー３１は、スライド移動されることに伴って操作突部５３がリール駆動機構部１０のカムギア２２の支軸部２２Ｂに当接されて、コイルばね２８の弾性力に抗してカムギア２２を軸線方向にスライド移動させる。そして、スライド移動されたカムギア２２は、ギア部２２ａが第２のギア構体２５の再生用ギア２５ｂに噛合される。
【０１３４】
また、再生操作レバー３１は、トーションコイルばね４４の弾性力によって、初期位置に復帰動作される際、ピンチローラ部４２を回動させて、キャプスタン軸４１に対してピンチローラ部４２を離間させる。
【０１３５】
［１２］  録音機構部の動作
上述した録音機構部１２について、録音操作レバー３２が押込み操作されたときの動作を図６、図１１及び図１２を参照して説明する。
【０１３６】
録音操作レバー３２は、トーションコイルばね４４の弾性力に抗して押込み操作されることによって、再生操作レバー３１の作動片５２に当接されている操作片６６を介して再生操作レバー３１をスライド移動させて、再生操作レバー３１と一体的にスライド移動する。
【０１３７】
そして、この録音操作レバー３２によれば、消去用磁気ヘッド６０が移動されるとともに、上述した再生操作レバー３１による動作が行われる。
【０１３８】
［１３］  早送り機構部の動作
上述した早送り機構部１３について、早送り操作レバー３３が押込み操作されたときの動作を図１３及び図１４を参照して説明する。
【０１３９】
早送り操作レバー３３は、トーションコイルばね７０の弾性力に抗して押込み操作されることによって、ギア操作部７８がリール駆動機構部１０のアイドラギア２４の移動用リブ２４ｃに当接されて、このアイドラギア２４を軸線方向にスライド移動させる。
【０１４０】
そして、スライド移動されたアイドラギア２４は、第１のギア構体２３の第２のギア２３ｂと噛合されて、第１のギア構体２３によって第２のギア構体２５の早送り用ギア２５ａを回転可能な状態にさせる。
【０１４１】
［１４］  巻戻し機構部の動作
上述した巻戻し機構部１４について、巻戻し操作レバー３４が押込み操作されたときの動作を図１５及び図１６を参照して説明する。
【０１４２】
巻戻し操作レバー３４は、トーションコイルばね７０の弾性力に抗して押込み操作されることによって、リール操作爪８９が供給側リール台８の作動部８ｃに係合されて、供給側リール台８を軸線方向にスライド移動させる。スライド移動された供給側リール台８は、ギア部８ｂが第１のギア構体２３の第２のギア２３ｂと噛合されて、回転可能な状態にされる。
【０１４３】
また、巻戻し操作レバー３４は、初期位置に復帰動作される際、供給側リール台８の作動部８ｃとリール操作爪８９との係合状態を解除させるとともに、供給側リール台８の作動部８ｃにリール操作片９０が係合されて、供給側リール台８を軸線方向に移動させて初期位置に復帰動作させる。
【０１４４】
［１５］  停止機構部の動作
上述した停止機構部１５について、各操作レバー３１乃至３４が押込み操作された状態で、停止操作レバー３５が押込み操作されたときの動作を図５及び図１０を参照して説明する。
【０１４５】
停止操作レバー３５は、各操作レバー３１乃至３４が押込み操作された状態で、トーションコイルばね９１の弾性力に抗して押込み操作されることによって、操作リブ９５を介して自動停止機構部１７のレバーロックスライダ３８を移動させる。
【０１４６】
レバーロックスライダ３８は、移動されることによって、各ロック用開口部１３５乃至１３８の係止部１３５ａ乃至１３８ａと各操作レバー３１乃至３４のロック用リブ５１、６５、７７、８７との係止状態を解除させて、押込み操作された各操作レバー３１乃至３４を初期位置にそれぞれ復帰させる。
【０１４７】
［１６］一時停止機構部の動作
上述した一時停止機構部１６について、各操作レバー３１乃至３４が各々押込み操作された状態で、一時停止操作レバー３６が押込み操作されたときの動作を図８を参照してそれぞれ説明する。
【０１４８】
まず、再生操作レバー３１、或いは録音操作レバー３２が押込み操作された再生動作時或いは録音動作時に一時停止操作レバー３６が押込み操作された場合、一時停止操作レバー３６は、キャプスタン軸４１に磁気テープを挟んで圧接されているピンチローラ部４２を構成するホルダ４２ｂの揺動操作アーム４２ｄに、操作リブ１０６が当接する。
【０１４９】
一時停止操作レバー３６は、ホルダ４２ｂの揺動操作アーム４２ｄに操作リブ１０６が当接することによって、この揺動操作アーム４２ｄを移動させて、ピンチローラ部４２をキャプスタン軸４１から離間する方向に揺動させる。
【０１５０】
そして、一時停止操作レバー３６は、再生動作時又は録音動作時に押込み操作された場合、スライド移動することによって、操作突部１０７がトーションコイルばね１１６の一端部に当接して移動させる。
【０１５１】
トーションコイルばね１１６は、一端部が移動されることによって、リールロックスライダ９８をスライド移動させて、ロック片１１３のロック爪１１３ａが第２のギア構体２５の早送り用ギア２５ａに係合される。したがって、リールロックスライダ９８は、巻取り側リール台７の回転駆動を一時的に停止させる。
【０１５２】
また、一時停止操作レバー３６は、早送り操作レバー３３が押込み操作された早送り動作時に押込み操作された場合、操作突部１０７がトーションコイルばね１１６の一端部に当接して、この一端部を移動させる。このため、トーションコイルばね１１６は、リールロックスライダ９８に移動習性を付与する。
【０１５３】
しかしながら、リールロックスライダ９８は、突当部１２１の第１の突当壁１２２が、押込み操作された早送り操作レバー３３の一側端部に突き当てられるため、スライド移動が不能とされる。したがって、リールロックスライダ９８は、ロック片１１３のロック爪１１３ａが早送り用ギア２５ａに係合されないため、巻取り側リール台７の回転を停止させない。すなわち、一時停止操作レバー３６は、早送り動作時に押込み操作された際、巻取り側リール台７の回転駆動を停止することがない。
【０１５４】
また、一時停止操作レバー３６は、巻戻し操作レバー３４が押込み操作された巻戻し動作時に押込み操作された場合、操作突部１０７がトーションコイルばね１１６の一端部に当接して、この一端部を移動させる。このため、トーションコイルばね１１６は、リールロックスライダ９８に移動習性を付与する。
【０１５５】
しかしながら、リールロックスライダ９８は、突当部１２１の第２の突当壁１２３が、押込み操作された巻戻し操作レバー３４の規制凸部８８に突き当てられるため、スライド移動が不能とされる。したがって、リールロックスライダ９８は、ロック片１１３のロック爪１１３ａが早送り用ギア２５ａに係合されないため、巻取り側リール台７の回転を停止させない。すなわち、一時停止操作レバー３６は、巻戻し動作時に押込み操作された際、巻取り側リール台７の回転駆動を停止することがない。
【０１５６】
また、リールロックスライダ９８は、一時停止操作レバー３６が押込み操作された後に早送り操作レバー３３又は巻戻し操作レバー３４が押込み操作された場合も、突当部１２１の第１の突当壁１２２又は第２の突当壁１２３に、早送り操作レバー３３の一側端部又は巻戻し操作レバー３４の規制凸部８８が突き当てられることによって、早送り動作又は巻戻し動作を妨げない位置にスライド移動される。
【０１５７】
［１７］  自動停止機構部の動作
上述した自動停止機構部１７について、押込み操作された各操作レバー３１乃至３４を自動的に各々復帰動作させて、リール駆動機構部１０の駆動が自動的に停止させる動作を図９、図１０及び図１７を参照して説明する。
【０１５８】
まず、自動停止機構部１７は、再生操作レバー３１或いは録音操作レバー３２が押込み操作された際に、テープカセットの磁気テープの巻取りが終了する場合を説明する。
【０１５９】
磁気テープの巻取りが行われているとき、第１のギア構体の第１のギア２３ａは、フライホイール２１とカムギア２２とともに回転が継続されている。また、カムギア２２は、再生操作レバー３１或いは録音操作レバー３２が押込み操作された際、再生操作レバー３１によって、早送り動作時及び巻戻し動作時に対して軸線方向にスライド移動されるが、シャットオフレバー３７のカムアーム部１２８との係合状態が確保されている。
【０１６０】
ブッシュ２５ｄが磁気テープの巻取り方向に回転されるため、このブッシュ２５ｄに取り付けられたトーションコイルばね１２５を回転させる。回転されたトーションコイルばね１２５は、一端部が、シャットオフレバー３７の揺動操作部１２７に当接されて回転トルクを発生する。シャットオフレバー３７は、カムギア２２が回転されているため、カムギア２２のカム部２２ｃの外周に沿ってカムアーム部１２８が揺動する。
【０１６１】
そして、自動停止機構部１７によれば、テープカセットの磁気テープの巻取りが終了した際、巻取り側リール台７の停止に伴って、ブッシュ２５ｄの回転が停止するため、トーションコイルばね１２５の回転が停止する。
【０１６２】
シャットオフレバー３７は、トーションコイルばね１２５の回転が停止することによって、トーションコイルばね１２５から付与されていた回転トルクがなくなる。このため、シャットオフレバー３７は、カムギア２２のカム部２２ｃの最大膨出点に、カムアーム部１２８が移動された状態で揺動が停止される。
【０１６３】
シャットオフレバー３７は、カムギア２２が回転されているため、カムギア２２の係合凸部２２ｄが３／４回転した後、揺動が停止されているシャットオフレバー３７のカムアーム部１２８の係合溝１２８ａに係合凸部２２ｄが係合されて、この係合凸部２２ｄによってシャットオフレバー３７を揺動させる。
【０１６４】
カムギア２２のカム部２２ｃによって揺動されたシャットオフレバー３７は、操作部１２９がレバーロックスライダ３８の作動部１４４に係合されているため、揺動支軸１２６を揺動支点として揺動された回転量だけ、レバーロックスライダ３８の移動量とされて、レバーロックスライダ３８をスライド移動させる。
【０１６５】
レバーロックスライダ３８は、スライド移動されることによって、再生操作レバー３１のロック用リブ５１が係止されているロック用開口部１３６の係止部１３６ａ、又は録音操作レバー３２のロック用リブ６５が係止されているロック用開口部１３５の係止部１３５ａを介して、押込み操作された再生操作レバー３１又は録音操作レバー３２のロックを解除して初期位置に復帰させる。
【０１６６】
そして、レバーロックスライダ３８は、スライド移動されることに伴って、スイッチスライダ３９を初期位置に復帰動作させる。スイッチスライダ３９は、初期位置にスライド移動されることに伴って、モータ用スイッチ１５２の一方の端子板１５２ａを押圧していたスイッチ操作片１５３が移動されるため、モータ用スイッチ１５２の一対の端子板１５２ａ、１５２ａの接続が切られる。したがって、スイッチスライダ３９は、駆動モータ２０の回転駆動が停止させることによって、リール駆動機構部１０の駆動動作を停止させる。
【０１６７】
また、この自動停止機構部１７について、早送り操作レバー３３が押込み操作された際に、テープカセットの磁気テープの巻取りが終了する場合を説明する。
【０１６８】
磁気テープの巻取りが行われているとき、第１のギア構体の第１のギア２３ａは、フライホイール２１及びカムギア２２とともに回転が継続されている。また、シャットオフレバー３７は、カムアーム部１２８がカムギア２２に係合されている。
【０１６９】
したがって、自動停止機構部１７は、早送り操作レバー３３が押込み操作された際も、シャットオフレバー３７が、上述した再生操作レバー３１又は録音操作レバー３２が押込み操作された際と同様に揺動されることによって、押込み操作された早送り操作レバー３３を初期位置に復帰させて、自動停止動作するため、詳細な説明を以下省略する。
【０１７０】
また、この自動停止機構部１７について、巻戻し操作レバー３４が押込み操作されて、テープカセットの磁気テープの巻取りが行われている際に、磁気テープの巻取りが終了する場合を説明する。
【０１７１】
磁気テープの巻取りが行われているとき、第１のギア構体の第１のギア２３ａは、フライホイール２１及びカムギア２２とともに回転が継続されている。また、シャットオフレバー３７は、カムアーム部１２８がカムギア２２に係合されている。
【０１７２】
そして、自動停止機構部１７は、トーションコイルばね１２５の回転方向が早送り動作時に対して逆回転となるが、このトーションコイルばね１２５の一端部がシャットオフレバー３７の揺動操作部１２７を付勢する方向が早送り動作時と同一方向である。
【０１７３】
したがって、自動停止機構部１７は、巻戻し操作レバー３４が押込み操作された際も、シャットオフレバー３７が上述した再生操作レバー３１又は録音操作レバー３２が押込み操作された際と同様に揺動されることによって、押込み操作された巻戻し操作レバー３４を初期位置に復帰させて、自動停止動作するため、詳細な説明を省略する。
【０１７４】
つぎに、この自動停止機構部１７について、停止時或いは一時停止時に誤作動することを防止する動作を説明する。
テープレコーダ１は、各操作レバー３１乃至３４が押込み操作されていない停止状態のとき、モータ用スイッチ１５２の各端子板１５２ａ、１５２ａが互いに接続されていないため、駆動モータ２０が回転駆動されていない。したがって、リール駆動機構部１０のフライホイール２１及びカムギア２２は、回転が停止されている。
【０１７５】
しかしながら、テープレコーダ１は、例えば、モータ用スイッチ１５２と、図示しない主スイッチとがそれぞれ別々に設ける構成とされた場合、主スイッチがＯＮ状態にされた際、モータ用スイッチ１５２がＯＦＦ状態にされていても、駆動モータ２０が回転駆動されてしまう。
【０１７６】
このとき、カムギア２２は、駆動モータ２０によって回転されているため、このカムギア２２が１回転するたびに、シャットオフレバー３７による自動停止動作を作動させてしまうという不都合が生じる。このため、シャットオフレバー３７は、レバーロックスライダ３８をスライド移動させることによって、シャットオフレバー３７の操作部１２９がレバーロックスライダ３８の作動部１４４に当接する音等のノイズが継続的に発生する。
【０１７７】
しかしながら、スイッチスライダ３９は、弾性変位部１５８がシャットオフレバー３７を付勢しているため、各操作レバー３１乃至３４が押込み操作された場合、シャットオフレバー３７に干渉しない位置まで移動される。したがって、自動停止機構部１７によれば、スイッチスライダ３９に弾性変位部１５８が形成されることによって、停止時に誤作動することが確実に防止されている。
【０１７８】
また、自動停止機構部１７は、一時停止操作レバー３６に操作アーム１１０が形成されることによって、この操作アーム１１０がシャットオフレバー３７の作動リブ１３０を抱え込むことによって、シャットオフレバー３７を付勢する。すなわち、シャットオフレバー３７は、一時停止操作レバー３６の操作アーム１１０によって、揺動が規制される。
【０１７９】
したがって、自動停止機構部１７によれば、一時停止操作レバー３６が押込み操作された際、巻取り側リール台７の回転駆動が一時的に停止されて、巻取り側テープリールの回転が停止することによって、シャットオフレバー３７が揺動動作してしまうことが確実に防止されている。すなわち、自動停止機構部１７は、一時停止操作された際の誤作動の防止が図られている。
【０１８０】
上述したように、実施の形態のテープレコーダ１は、自動停止機構部１７が、リール駆動機構部１０のカムギア２２のカム部２２ｃに当接するとともに係合凸部２２ｄに係合するカムアーム部１２８と、トーションコイルばね１２５によって揺動される揺動操作部１２７と、レバーロックスライダ３８を移動操作する操作部１２９とを有するシャットオフレバー３７を有することによって、自動停止機構部１７の構造を簡素化するとともに、自動停止動作の信頼性を向上することができる。
【０１８１】
そして、このテープレコーダ１は、装置全体を小型・軽量化することが可能とされるとともに、部品数量を削減できるため、廉価に提供することが可能とされる。
【０１８２】
【発明の効果】
上述したように本発明に係る記録及び／又は再生装置によれば、巻取り側テープリール及び供給側テープリールを回転する巻取り側リール台及び供給側リール台を回転駆動する駆動手段と、押込み操作される操作部材と、操作部材を押し込まれた状態でロックするロック部材と、一端部がキャプスタン軸を支持する金属製の軸受部材に当接され、他端部が金属製のシャーシに係止されて電気的に接続されるトーションコイルばねにより移動習性が付与され、かつ操作部材の押込み操作により移動されるスイッチ開閉用スライド部材と、巻取り側リール台と一体的に回転するトーションコイルばねと、中心部に設けられたカム部とこのカム部の外周側に設けられた係合部とを有し駆動手段によって回転されるカムギアとを備えるとともに、カムギアのカム部に当接するとともに係合部に係合するカムアームと、巻取り側リール台と一体的に回転するトーションコイルばねによって揺動される揺動アームと、ロック部材を移動操作する操作アームとを有し、揺動自在に設けられた自動停止部材を備えることによって、自動停止機構を簡素化することができると共に装置全体を小型、薄型化することができる。
また、キャプスタン軸への静電気の帯電等によって、磁気テープに記録された情報信号に悪影響を及ぼすことが防止でき、動作の信頼性を向上することができる。
【図面の簡単な説明】
【図１】本発明に係る実施の形態のテープレコーダの全体構成を示す平面図である。
【図２】上記テープレコーダが備えるリール駆動機構部を示す平面図である。
【図３】上記リール駆動機構部を示す縦断面図である。
【図４】上記リール駆動機構部を示す縦断面図である。
【図５】上記テープレコーダが備える各機構部の各操作レバーを示す平面図である。
【図６】上記テープレコーダが備える再生機構部及び録音機構部を説明するために示す平面図である。
【図７】上記テープレコーダが備える早送り機構部及び巻戻し機構部を説明するために示す平面図である。
【図８】上記テープレコーダが備える一時停止機構部を説明するために示す平面図である。
【図９】上記テープレコーダが備える自動停止機構を説明するために示す平面図である。
【図１０】上記テープレコーダが備える自動停止機構を説明するために示す平面図である。
【図１１】上記再生機構部の動作を説明するために示す縦断面図である。
【図１２】上記再生機構部の動作を説明するために示す縦断面図である。
【図１３】上記早送り機構部の動作を説明するために示す縦断面図である。
【図１４】上記早送り機構部の動作を説明するために示す縦断面図である。
【図１５】上記巻戻し機構部の動作を説明するために示す縦断面図である。
【図１６】上記巻戻し機構部の動作を説明するために示す縦断面図である。
【図１７】上記自動停止機構部の動作を説明するために示す縦断面図である。
【符号の説明】
１  テープレコーダ、７  巻取り側リール台、８  供給側リール台、１０  リール駆動機構部、２０  駆動モータ、２２  カムギア、２２ｃ  カム部、２２ｄ  係合凸部、３１  再生操作レバー、３３  早送り操作レバー、３４  巻戻し操作レバー、３７  シャットオフレバー、３８  レバーロックスライダ、３９  スイッチスライダ、１２５  トーションコイルばね、１２７  揺動操作部、１２８  カムアーム部、１２９  操作部、１５２  モータ用スイッチ、１５２ａ  端子板
【図１】
0003567650.tif 000002
【図２】
0003567650.tif 000003
【図３】
0003567650.tif 000004
【図４】
0003567650.tif 000005
【図５】
0003567650.tif 000006
【図６】
0003567650.tif 000007
【図７】
0003567650.tif 000008
【図８】
0003567650.tif 000009
【図９】
0003567650.tif 000010
【図１０】
0003567650.tif 000011
【図１１】
0003567650.tif 000012
【図１２】
0003567650.tif 000013
【図１３】
0003567650.tif 000014
【図１４】
0003567650.tif 000015
【図１５】
0003567650.tif 000016
【図１６】
0003567650.tif 000017
【図１７】
0003567650.tif 000018